(57)【要約】【課題】サイフォン効果による排水量の増大を得られるとともに、軒樋や集水器からの溢水が生じにくいものとする。【解決手段】両端が開口しているとともに屈曲している筒状のエルボ１である。その内周面には内周側に張り出して流路面積を絞る張り出し部２を備える。【選択図】図１
2015148132.tif 000002
【特許請求の範囲】
【請求項１】
両端が開口しているとともに屈曲している筒状であり、その内周面には内周側に張り出して流路面積を絞る張り出し部を備えていることを特徴とするエルボ。
【請求項２】
上記張り出し部は上流側開口に近いところに配置されていることを特徴とする請求項１記載のエルボ。
【請求項３】
共に屈曲した筒状の第１筒部材と第２筒部材とからなり、上記第２筒部材の一端開口内にスライド自在に嵌め込まれた上記第１筒部材の内周面に上記張り出し部を備えていることを特徴とする請求項１または２記載のエルボ。
【請求項４】
上記張り出し部は下流側開口に近いところに配置されていることを特徴とする請求項１記載のエルボ。
【請求項５】
共に屈曲した筒状の第１筒部材と第２筒部材とからなり、上記第１筒部材が一端開口内にスライド自在に嵌め込まれた上記第２筒部材における上記第１筒部材のスライド領域外の内周面に上記張り出し部を備えていることを特徴とする請求項１または４記載のエルボ。
【発明の詳細な説明】
【技術分野】
【０００１】
本発明は、雨樋におけるエルボに関するものである。
【背景技術】
【０００２】
住宅における雨樋は、一般に、屋根から流れ落ちる雨水を受ける軒樋と、集水器や呼び樋を介して軒樋に繋げられる竪樋とで構成されるが、近年、デザイン上の観点から、細めの軒樋及び竪樋が用いられることが多い。
【０００３】
しかし、細めの雨樋であると、大雨の時には排水しきれずに溢れてしまうことが生じる。
【０００４】
このために、サイフォンの原理を利用して単位時間当たりの排水量を増加させることで、細めの雨樋でも大雨時の雨水を好適に排水できるようにしたものが提案されている（特許文献１）。
【０００５】
これは竪樋を上下に接続するための竪樋用継手の内周面に、弾性を有する張出板を設けて、この張出板の中央部に、竪樋の内径よりも小さい内径の開口部を設けたものである。
【０００６】
流路面積を減少させるオリフィスを構成する上記張出板は、一定流量以上の雨水が竪樋に流入した際、抵抗となってその上方に雨水の滞留を生じさせる。そして滞留した雨水から作用する圧力（雨水の自重）がオリフィスによる抵抗力を上回れば、滞留した雨水がオリフィスを急激に流下することでオリフィスの下方側に負圧を生じさせる。この結果、オリフィスを流下する雨水の流速が増加するとともに、滞留した雨水は引っ張られて流下することになるために、単位時間当たりの流量が増大する。
【０００７】
しかし、竪樋の途中に配置される継手にサイフォン効果をもたらす張出板を設けた上記のものでは、軒樋及び集水器の部分で雨水が溢れてしまう事態が生じることがある。
【先行技術文献】
【特許文献】
【０００８】
【特許文献１】特開２０１２−１４４８７０号公報
【発明の概要】
【発明が解決しようとする課題】
【０００９】
本発明は上記問題に鑑みてなされたもので、サイフォン効果による排水量の増大を得られるとともに、軒樋や集水器からの溢水が生じにくいエルボを提供することを課題とする。
【課題を解決するための手段】
【００１０】
本発明にかかるエルボは、両端が開口しているとともに屈曲している筒状であり、その内周面には内周側に張り出して流路面積を絞る張り出し部を備えていることに特徴を有している。
【００１１】
上記張り出し部は上流側開口に近いところに配置されていることが好ましい。
【００１２】
また、共に屈曲した筒状の第１筒部材と第２筒部材とからなるものでは、第２筒部材の一端開口内にスライド自在に嵌め込まれた第１筒部材の内周面に上記張り出し部を備えていることが好ましい。
【００１３】
上記張り出し部を下流側開口に近いところに配置してもよい。
【００１４】
また、共に屈曲した筒状の第１筒部材と第２筒部材とからなるものでは、第１筒部材が一端開口内にスライド自在に嵌め込まれた第２筒部材における第１筒部材のスライド領域外の内周面に上記張り出し部を備えたものとしてもよい。
【発明の効果】
【００１５】
本発明によれば、竪樋よりも集水器に近いところでサイフォン効果による排水量の増大を行うために、軒樋や集水器からの溢水の事態を招きにくく、雨水のスムーズな排水に関してより効果的な雨樋を構成することができる。
【図面の簡単な説明】
【００１６】
【図１】(a)は本発明の一実施例の縦断面図、(b)はＸ−Ｘ線断面図である。
【図２】同上の斜視図である。
【図３】他例の断面図である。
【図４】(a)(b)(c)は夫々他の実施例を示す断面図である。
【図５】他の実施例の断面図である。
【図６】更に他の実施例の断面図である。
【発明を実施するための形態】
【００１７】
以下、本発明を図示実施例に基づいて詳述すると、図１及び図２に示すエルボ１は、共に両端が開口する第１筒部材１１と第２筒部材１２とをスライド自在に組み合わせたスライドエルボである。
【００１８】
第１筒部材１１及び第２筒部材１２は、ともに屈曲した筒状であり、第２筒部材１２の一端開口内に第１筒部材１１の一部がスライド自在に嵌め込まれており、スライド量を調節することで、エルボ１の角度（両端開口の向き）を調節することができるものとなっている。また、下流側の端部が第２筒部材１２に嵌め込まれた第１筒部材１１の上流側の端部は、その外周面側が集水器（図示せず）あるいは呼び樋との接続のための接続部１５となっている。第２筒部材１２の他端側は、呼び樋あるいは竪樋が外周側に被せられて接続される接続部１６となっている。
【００１９】
そして、第１筒部材１１の上流側端部の内周面には、内周側に張り出す張り出し部２が設けられている。この張り出し部２は、流路面積の変化が緩やかなものとなるスロート状となっている。また、第１筒部材１１の弧状の中心点に近い方の肉厚が、中心点から遠い方の肉厚よりも厚くなるように偏肉させて張り出し部２を設けている。
【００２０】
図３に示すように、第１筒部材１１における第２筒部材１２の内周側にスライド自在に嵌り込む部分にスロート状の張り出し部２を設けてもよい。また、ここでは、第１筒部材の弧状の中心点から遠い側の肉厚を中心点に近い側の肉厚よりも厚くしている。
【００２１】
上記の各実施例では、エルボ１として、スライドエルボを示したが、単一の筒部材からなる角度固定のエルボ１であってもよいのはもちろんであり、また、図４に示すように、エルボ１の内周面に設ける張り出し部２は、上流側の端部の内周面、中央部の内周面、下流側の端部の内周面のいずれに設けてもよい。
【００２２】
軒樋や集水器からの溢水を防ぐという点では、集水器に近いところにサイフォン効果を発揮させる張り出し部２がある方が好ましいという視点からすれば、エルボ１における上流側の端部に張り出し部２を設けることが好ましい。
【００２３】
この場合、第１筒部材１１と第２筒部材１２とからなるスライドエルボにおいては、上記実施例で示したように、上流側であり且つ第２筒部材１１の内周側に嵌め込まれる第１筒部材１１に張り出し部２を設ける。
【００２４】
張り出し部２の下流側に直線状の流路があるほうが雨水の流れがスムーズであるという視点からすれば、前述のようにエルボ１の下端側の開口部近くに張り出し部２を設けるとよい。
【００２５】
図５に一例を示す。ここにおけるエルボは、共に屈曲した筒状の第１筒部材と第２筒部材とからなり、第２筒部材１２の内周側に第１筒部材１１がスライド自在に嵌り込むことで、両端開口の向きがほぼ９０°〜１３５°の範囲内で可変のスライドエルボである。
【００２６】
そして、下端開口部寄りで且つ第１筒部材のスライド領域外となっている第２筒部材１２の接続部１６の内周面に、断面山形の張り出し部２を設けている。接続部１６に竪樋が接続される場合、エルボ１内を流れる水流がほぼ鉛直に落下する部分に張り出し部２が位置することになる。
【００２７】
図６は、スロート状の張り出し部２を第２筒部材１２の接続部の内周面に設けたものを示している。ここで示した張り出し部２は、上流側から下流側にかけての流路面積の変化が、比較的急峻に狭くなった後、緩やかに広くなる形状としている。このものにおいても、接続部１６に竪樋が接続される場合、エルボ１内を流れる水流がほぼ鉛直に落下する部分に張り出し部２が位置することになる。
【００２８】
エルボ１に設けた張り出し部２の断面形状は、上述のようにスロート状あるいは断面山形のいずれであっても両形状の折衷型のものであってもよいが、雨水を流す実験結果からすれば、図６に示す断面形状のものが安定したサイホン排水能力を得ることができた。
【００２９】
ちなみに、エルボ１に設けたスロート状あるいは断面山形の張り出し部２は、次のように機能する。すなわち、雨水がエルボ１内を流れる時、雨水はエルボ１の内周面に沿って流下し、張り出し部２では張り出し部２の膨らみに沿って流れる。この雨水の量が多くなれば、張り出し部２を通過する時に流路面積が狭くなっていることから、張り出し部２がベンチュリとして機能し、雨水の流速を早める。
【００３０】
そして流下する雨水の量が更に多くなって、流路面積の減少による抵抗のために、張り出し部２よりも上流側に雨水が滞留する。そして、滞留量が多くなって上記抵抗に滞留雨水の自重が勝れば、滞留雨水は張り出し部２を一気に流下するとともに、エルボ１に流れ込む雨水を引き込むために、サイフォン効果を得ることができる。従って、雨水は張り出し部２が存在していない場合に比して、単位時間当たりの流量が多くなる。
【００３１】
なお、本発明にかかるエルボ１は、軒樋が接続される集水器に接続して使用したり、呼び樋と竪樋との接続部分に配置するものであることは前述の通りである。ただし、軒樋や集水器からの溢水を防ぐという点では、上述のように集水器に接続することが好ましい。
【符号の説明】
【００３２】
１  エルボ
２  張り出し部
１１  第１筒部材
１２  第２筒部材
【図１】
2015148132.tif 000003
【図２】
2015148132.tif 000004
【図３】
2015148132.tif 000005
【図４】
2015148132.tif 000006
【図５】
2015148132.tif 000007
【図６】
2015148132.tif 000008